(57)【要約】【課題】外観の美観を向上しつつ、吹出口から冷風を吹出す際に外側表面の結露を抑制することができる空気調和機の室内機を提供する。【解決手段】空調本体１１に設けられた横長の吹出口１５と、吹出口１５よりも空気の流れの下流側に、横方向Ｄ１に延びる軸線回りに回動することで吹出口１５を開閉可能に配置され、閉状態で吹出口１５を周囲の前記空調本体１１の表面とともに覆う複合フラップ２０を備え、複合フラップ２０は、吹出口１５に応じた横幅を有し、吹出口１５側に配置された内側フラップ２１と、内側フラップ２１より広い横幅を有し、内側フラップ２１の外側に重ねて配置された外側フラップ２２と、内側フラップ２１と外側フラップ２２との横方向Ｄ１の境界位置に、吹出口１５からの空気の流れを規制するように内側に向かって突設されたフィン２３と、を備える室内機１０である。【選択図】図３
2018091507.tif 000002
【特許請求の範囲】
【請求項１】
空調本体に設けられた横長の吹出口と、
前記吹出口よりも空気の流れの下流側に、横方向に延びる軸線回りに回動することで前記吹出口を開閉可能に配置され、閉状態で前記吹出口を周囲の前記空調本体の表面とともに覆う複合フラップを備え、
前記複合フラップは、
前記吹出口に応じた横幅を有し、前記吹出口側に配置された内側フラップと、
前記内側フラップより広い横幅を有し、前記内側フラップの外側に重ねて配置された外側フラップと、
前記内側フラップと前記外側フラップとの横方向の境界位置に、前記吹出口からの空気の流れを規制するように内側に向かって突設されたフィンと、
を備える空気調和機の室内機。
【請求項２】
前記外側フラップの前記下流側の先端部には、上下流方向に挿入空間を形成する先端係止片が設けられ、
前記内側フラップの前記下流側の先端部には、前記挿入空間に挿入されて前記先端係止片に上下流方向の両側に係止される先端挿入部が設けられている請求項１に記載の空気調和機の室内機。
【請求項３】
前記複合フラップには、前記空調本体に回動可能に支持するアームがさらに設けられ、
前記アームは、前記空調本体に回動可能に連結された回動連結部と、前記外側フラップの上流側となる後端部を固定する固定部と、を両端に有している請求項１又は２に記載の空気調和機の室内機。
【請求項４】
前記内側フラップには、上流側の後端部に、前記アームの前記固定部に前記下流側から当接可能に当接リブが突設されている請求項３に記載の空気調和機の室内機。
【発明の詳細な説明】
【技術分野】
【０００１】
本発明は空気調和機の室内機に関する。
【背景技術】
【０００２】
従来から空気調和機の室内機の空調本体の吹出口の下流に配置されるフラップとして、内側のフラップ構成部材と、その外側に重ねて配置される外側のフラップ構成部材と、を備えた複合構造のフラップが知られている。例えば特許文献１には、内側に配置される中空用蓋部と、外側に配置される箱部と、を重ねて接合したフラップが提案されている。
複合構造のフラップでは、吹出口から冷風を吹出す際、吹出口からの冷風に接して内側のフラップ構造部材が強く冷却されても外側のフラップ構成部材の外側表面に熱が伝わり難く、結露を抑制できる。
【先行技術文献】
【特許文献】
【０００３】
【特許文献１】特開２００９−６３２７５号公報
【発明の概要】
【発明が解決しようとする課題】
【０００４】
しかしながら従来の空気調和機では、運転停止中にフラップが閉状態になると、フラップにより吹出口が覆われるが、吹出口の周囲の筐体（空調本体）の段差などは外部から視認されることになる。また、特に複合構造のフラップは厚いため、筐体との境界も目立ち易く、外観品質を向上し難かった。
【０００５】
そこで本発明は、外観の美観を向上しつつ、吹出口から冷風を吹出す際に外側表面の結露を抑制することができる空気調和機の室内機を提供する。
【課題を解決するための手段】
【０００６】
本発明の第一の態様に係る空気調和機の室内機は、空調本体に設けられた横長の吹出口と、前記吹出口よりも空気の流れの下流側に、横方向（Ｄ１）に延びる軸線回りに回動することで前記吹出口（１５）を開閉可能に配置され、閉状態で前記吹出口を周囲の前記空調本体の表面とともに覆う複合フラップを備え、前記複合フラップは、前記吹出口に応じた横幅を有し、前記吹出口側に配置された内側フラップと、前記内側フラップより広い横幅を有し、前記内側フラップの外側に重ねて配置された外側フラップと、前記内側フラップと前記外側フラップとの横方向の境界位置に、前記吹出口からの空気の流れを規制するように内側に向かって突設されたフィンと、を備えている。
【０００７】
このような室内機によれば、閉状態で吹出口を周囲の空調本体の表面とともに覆う複合フラップを備えている。そのため複合フラップを吹出口よりも広い範囲に配置して周囲の空調本体の表面を覆うことができる。これにより吹出口の周囲の空調本体の形状が外部から視認されず、吹出口及びその周辺の空調本体の形状とは異なる外観、即ち、複合フラップの表面によって筋、境界、段差等のない美しい外観を得ることができる。
【０００８】
さらに、この複合フラップでは、吹出口に応じた横幅の内側フラップと、内側フラップより広い横幅の外側フラップとが内外に重ねて配置されている。そのため複合フラップの吹出口に対応する部位では、吹出口側となる内側表面から、室内側の外側表面へ熱が伝わり難く、吹出口から冷風を吹出す際には、外側表面を過度に冷却してしまうことを抑制できる。
【０００９】
さらに内側フラップと外側フラップとの横方向の境界位置には、内側に突設されたフィンが備えられている。そのため吹出口から横方向に広がるように流れる空気を規制でき、フィンよりも横方向の端部側では吹出口から吹き出される空気を少なくし、熱交換量自体を少なくできる。さらに、フィンによって空気の流れを規制することで、吹出口から冷風を吹き出した際には、複合フラップの横方向の端部側で内側フラップが存在せずに外側フラップのみの一重構造となっている箇所に冷風が接触することを回避でき、この箇所を過度に冷却することがない。
【００１０】
また、本発明の第二の形態に係る空気調和機では、上記第一の態様において、前記外側フラップの前記下流側の先端部には、上下流方向に挿入空間を形成する先端係止片が設けられ、前記内側フラップの前記下流側の先端部には、前記挿入空間に挿入されて前記先端係止片に上下流方向の両側に係止される先端挿入部が設けられていてもよい。
【００１１】
このように先端挿入部を先端係止片に上下流方向の両側に係止するので、内側フラップと外側フラップとの温度差に起因して、これらの間に熱伸縮量に差が生じても、先端挿入部と先端係止片とを係止状態で保ち易く、外側フラップの先端部と内側フラップの先端部との相対位置がズレたり、これらが外れたりすることを抑制できる。
【００１２】
また、本発明の第三の形態に係る空気調和機では、上記第一又は第二の態様において、前記複合フラップには、前記空調本体に回動可能に支持するアームがさらに設けられ、前記アームは、前記空調本体に回動可能に連結された回動連結部と、前記外側フラップの上流側となる後端部を固定する固定部と、を両端に有していてもよい。
【００１３】
このように複合フラップを空調本体に支持するアームが、空調本体に回動可能に連結される回動連結部と、外側フラップの後端部に固定される固定部と、を有している。即ち、アームを内側フラップの後端部に固定せずに、外側フラップの後端部に固定している。これにより外側フラップと内側フラップとの熱伸縮量に差が生じ、外側フラップと内側フラップとの間に撓み量の差が生じても外側フラップが内側フラップから脱落しにくくでき、複合フラップに変形や損傷が生じることを抑制できる。
特に上記のように内側フラップの先端挿入部が外側フラップの先端係止片に上下流方向の両側に係止されていれば、外側フラップに対して内側フラップを所定位置に保持できるため、複合フラップの変形を確実に抑制でき、外観品質を確保できる。
【００１４】
また、本発明の第四の形態に係る空気調和機では、上記第三の態様において、前記内側フラップには、上流側の後端部に、前記アームの前記固定部に前記下流側から当接可能に当接リブが突設されていてもよい。
【００１５】
このように内側フラップの後端部に、アームの固定部と下流側から当接可能に当接リブが突設されていると、アームを外側フラップに固定した後で外側フラップに内側フラップを一体化して、内側フラップの後端部を外側フラップの後端部に対して所定位置に配置することで、当接リブがアームの固定部に当接する。
【００１６】
そして例えばアームの固定部と外側フラップの後端部との上下流方向の嵌合による固定が不十分で、外側フラップに対してアームの固定部の位置が下流側にズレている場合、内側フラップの後端部の当接リブによりアームの固定部を強く押圧できる。これによりアームと外側フラップとの不十分な嵌合状態を完全にすることができ、アームの固定部を外側フラップに確実に固定することができる。
【発明の効果】
【００１７】
上記の空気調和機の室内機によれば、外観の美観を向上しつつ、吹出口から冷風を吹出す際に外側表面の結露を抑制することができる。
【図面の簡単な説明】
【００１８】
【図１】本発明の実施形態に係る空気調和機の室内機の斜視図である。
【図２】本発明の実施形態に係る室内機の断面図である。
【図３】本発明の実施形態に係る室内機の下部斜視図である。
【図４】本発明の実施形態に係る室内機の複合フラップの斜視図である。
【図５】本発明の実施形態に係る室内機の複合フラップの断面図である。
【図６】本発明の実施形態に係る室内機の複合フラップとアームとの固定部分の拡大斜視図である。
【発明を実施するための形態】
【００１９】
空気調和機１００は、室内に設けられる室内機１０と、室内機１０に配管によって接続されて室外に設けられる室外機（不図示）とを備えている。
室内機１０は、空気を吸い込んで温度や湿度の調整を行った後に空気Ａを吹き出し、室内の空気調和を行う。
以下、本発明の実施形態に係る室内機１０について説明する。
室内機１０は、空調本体１１と、空調本体１１に設けられた複合フラップ２０とを備えている。
【００２０】
図１及び図２に示すように、空調本体１１は横方向Ｄ１に長い横長形状に形成され、空調本体１１内には熱交換器１３及び送風ファン１４等が配設されている。空調本体１１の下部には、送風ファン１４からの空気Ａを室内に吹出すための横長の吹出口１５が下向き、斜め下向き、又は前向きに開設されている。
【００２１】
図３から図５に示すように、吹出口１５の下流側には、吹出口１５を開閉可能に外側から覆う複合フラップ２０が配置されている。複合フラップ２０は、空気調和機１００の運転時に開状態となり、吹出口１５からの空気Ａの上下方向の向きを調整するために、空調本体１１に対して傾斜角度を調整可能である。複合フラップ２０は、空気調和機１００の停止時には閉状態となり、吹出口１５を周囲の空調本体１１の表面とともに覆うことが可能である（図１参照）。
【００２２】
複合フラップ２０は、内側表面を構成する内側フラップ２１と、外側表面を構成する外側フラップ２２と、内側フラップ２１と外側フラップ２２とを接合する接合構造１６、１７と、吹出口１５からの空気Ａの流れを規制するフィン２３と、複合フラップ２０を空調本体１１に支持する支持構造１８、１９と、を備えている。
【００２３】
内側フラップ２１は、略板状に形成された成形体からなり、複合フラップ２０の吹出口１５側となる内側に配置されて、複合フラップ２０の内側面を構成している。内側フラップ２１は吹出口１５に応じた横幅を有している。この吹出口１５に応じた横幅は、吹出口１５の横幅と略同一であってもよいが、後述するフィン２３による効果が得られれば、吹出口１５の横幅と多少異なる幅（大きい幅か小さい幅）であってもよい。
【００２４】
内側フラップ２１の空気Ａの流れに沿う上下流方向Ｄ３の長さは特に限定されないが、本実施形態では下流側の先端部２１ａが外側フラップ２２の下流側の先端部２２ａよりも上流側に配置されている。
【００２５】
外側フラップ２２は、外側に向かって若干の凸形状（湾曲形状）を有する成形体からなる。外側フラップ２２は、内側フラップ２１の外側に重ねて配置され、複合フラップ２０の外側面を構成している。
外側フラップ２２は、上下流方向Ｄ３に湾曲した板部２４と、板部２４の上流側の後端に立設された後端部２２ｂと、板部２４の面上に立設された複数のリブ２５と、を有している。後端部２２ｂ及び複数のリブ２５等に内側フラップ２１が支持されて、内側フラップ２１と板部２４との間に空間が設けられている。
【００２６】
外側フラップ２２は、内側フラップ２１より広い横幅を有するとともに、上下流方向Ｄ３の長さが内側フラップ２１より長く形成されている。複合フラップ２０の閉状態では、吹出口１５の横方向Ｄ１の両端側及び上下流方向Ｄ３の下流側において、外側フラップ２２が空調本体１１における吹出口１５の周囲を覆っている。より詳しくは、外側フラップ２２の横方向Ｄ１の幅は、空調本体１１の横方向Ｄ１の幅と略同一となって、かつ、閉状態では、外側フラップ２２の先端部２２ａの位置が空調本体１１の前端部とほぼ同じ位置に配置される。
【００２７】
内側フラップ２１及び外側フラップ２２は、複合フラップ２０の先端側及び後端側に設けられた接合構造１６、１７により一体に接合されている。
複合フラップ２０の先端側の接合構造１６は、外側フラップ２２の下流側の先端部２２ａに設けられた先端係止片２６と、内側フラップ２１の下流側の先端部２１ａに設けられた先端挿入部２７と、を備えている。
【００２８】
外側フラップ２２の先端係止片２６は、帯板状に設けられている。各先端係止片２６は板部２４から板厚方向に離間して配置されることで、板部２４との間に上下流方向Ｄ３に貫通した挿入空間２８を形成している。
【００２９】
内側フラップ２１の先端挿入部２７は、外側フラップ２２の挿入空間２８に挿入されて先端係止片２６の内側から、上下流方向Ｄ３の両側に係止可能に構成されている。この実施形態では、先端挿入部２７に先端係止片２６と嵌合可能な係止凹部２９が設けられている。
先端挿入部２７は、挿入空間２８に挿入されて先端係止片２６に係止された状態で、背面側（外側）が外側フラップ２２の板部２４と当接する形状（当接部４６）を有している。また先端挿入部２７の当接部４６よりも先端側が板部２４から離間している。
【００３０】
複合フラップ２０の後端側の接合構造１７は、外側フラップ２２の後端部２２ｂに設けられて板厚方向に凹む複数の後端凹部３１と、後端部２２ｂで板厚方向に突出する複数対の後端リブ３２とを備えている。さらに接合構造１７は、内側フラップ２１の後端部２１ｂに設けられて上流側に突出する複数の後端凸部３３と、後端部２１ｂから下流側に凹む複数の後端切欠部３４と、を備えている。
【００３１】
後端リブ３２は、各対の間に後述するアーム３５の固定部３６を配置可能であり、後端部２２ｂから下流側に延びて設けられている。
【００３２】
後端凸部３３は後端凹部３１に嵌合可能に設けられ、後端切欠部３４は一対の後端リブ３２を嵌合可能に設けられている。また後述するアーム３５の固定部３６に当接可能な当接リブ３７が、後端切欠部３４の底面から上流側に突出して設けられている。
【００３３】
フィン２３は、複合フラップ２０の内側フラップ２１と外側フラップ２２との横方向Ｄ１の境界位置に、縦に突設されている。ここで縦とは、横方向Ｄ１と交差する面に沿う方向であればよいが、横方向Ｄ１と直交する面に沿う方向としてもよい。フィン２３は、内側フラップ２１と外側フラップ２２とのいずれかに一体成形によって設けてもよいし、これらフラップ２１、２２に別体で設けてもよい。本実施形態では内側フラップ２１に一体で設けられている。
フィン２３は板状をなし、下流側を向く端面２３ａは、下流側に向って徐々に高さが低くなるよう平面状に延びた後、途中で傾斜角度が急になって内側フラップ２１に向かうように下流側に凸状に湾曲する面となっている。さらに上流側を向く端面２３ｂは、内側フラップ２１から平面状に横方向Ｄ１及び上下流方向Ｄ３に交差する方向に真っ直ぐ立ち上がった後に下流側に向って凹状に湾曲する面となっている。
【００３４】
複合フラップ２０を空調本体１１に支持する支持構造１８、１９は、複合フラップ２０の後端側と横方向Ｄ１の両端側とに設けられている。
複合フラップ２０の後端側の支持構造１８は、複合フラップ２０を空調本体１１に回動可能に支持するアーム３５を備えている。アーム３５は、アーム本体３８と、アーム本体３８の一端に設けられて空調本体１１に回動可能に連結された回動連結部３９と、アーム本体３８の他端に設けられて外側フラップ２２の後端部２２ｂに固定された固定部３６と、を有している。
【００３５】
アーム本体３８は横方向Ｄ１から見て半円形状に大きく湾曲して形成されている。アーム本体３８は、空気調和機１００の作動時の状態（複合フラップ２０が開状態）では上向きに凸となる。
【００３６】
回動連結部３９は、空調本体１１の下部に設けられて、横方向Ｄ１に延びる軸線を中心とした回動軸１２に嵌合可能に開口した略Ｃ字状に設けられた切欠孔３９ａを有している。回動連結部３９の切欠孔３９ａは、空気調和機１００の作動時の状態（複合フラップ２０が開状態）では開口が下方を向く。
【００３７】
固定部３６は、外側フラップ２２の後端部２２ｂと嵌合可能に設けられている。具体的には、外側フラップ２２の後端部２２ｂに下流側に向けて突設された複数の突片４１に対して噛み合って嵌合可能な複数の嵌合突片４２を有している。より具体的には、突片４１は横方向Ｄ１及び上下流方向に直交する方向に間隔をあけて複数が並んで設けられ、嵌合突片４２も同様に横方向Ｄ１及び上下流方向Ｄ３に直交する方向に間隔をあけて複数が並んで設けられ、複数の嵌合突片４２同士の間に形成された各々の凹部４２ａに突片４１が一つずつ嵌り込んでいる。
【００３８】
さらに固定部３６は、内側フラップ２１の後端部２１ｂに設けられた当接リブ３７が下流側から当接可能な当接面４３を有している。
【００３９】
複合フラップ２０の横方向Ｄ１における両端側の支持構造１９は、詳細な図示は省略されているが、空調本体１１に対して上下に駆動可能に設けられたリンク４４と、内側フラップ２１の横方向の両端部で、かつ、フィン２３に下流側に隣接する位置で外側フラップ２２に設けられ、リンク４４が横方向Ｄ１に延びる軸線回りに回動自在に連結される連結ボス４５と、を備えている。
【００４０】
このような複合フラップ２０は例えば次のようにして空調本体１１に装着してもよい。
まず外側フラップ２２の後端部２２ｂに複数のアーム３５を固定する。外側フラップ２２の後端部２２ｂにおけるアーム３５の固定位置に後端リブ３２が複数対設けられているので、各対の後端リブ３２間に固定部３６を挟まれるように配置する。そして、アーム３５の固定部３６に設けられた複数の嵌合突片４２と、外側フラップ２２の後端部２２ｂに設けられた複数の突片４１と、を嵌合させる。
【００４１】
次いで外側フラップ２２と内側フラップ２１とを、先端側及び後端側の接合構造１６、１７により一体化させる。
具体的には外側フラップ２２の先端部２２ａの挿入空間２８に、内側フラップ２１の先端部２１ａの先端挿入部２７を挿入し、先端係止片２６に係止凹部２９を係止させる。
内側フラップ２１を外側フラップ２２のリブ２５に支持させ、内側フラップ２１の後端部２１ｂを外側フラップ２２の後端部２２ｂに対して所定位置に配置する。このとき内側フラップ２１の後端部２１ｂの当接リブ３７によりアーム３５の固定部３６の当接面４３が当接して加圧され、固定される。
また外側フラップ２２の後端部２２ｂの後端凹部３１及び後端リブ３２の対と、内側フラップ２１の後端部２１ｂの後端凸部３３及び後端切欠部３４とを、互いに嵌合させる。
これにより外側フラップ２２と内側フラップ２１とを一体化させて複合フラップ２０を構成する。
【００４２】
その後、アーム３５の回動連結部３９を空調本体１１の回動軸１２に嵌合させる。また外側フラップ２２に設けられた各連結ボス４５に、上下駆動されるリンク４４を接続する。
これにより複合フラップ２０を空調本体１１に装着する。
【００４３】
以上説明した本実施形態の室内機１０によれば、吹出口１５を閉めた閉状態では、複合フラップ２０によって吹出口１５よりも広い範囲で空調本体１１の表面を覆うことができる。
【００４４】
しかも横方向Ｄ１の両端部では内側フラップ２１が存在しないため複合フラップ２０が薄くなる。よって、横方向Ｄ１の両端部で空調本体１１内の容積を稼ぐために複合フラップ２０側に突出するような形状とすることができる。さらに、このような場合でも、複合フラップ２０を閉状態とすれば、空調本体１１の突出形状が視認されることがない。よって、吹出口１５及びその周辺の空調本体１１の形状とは異なる外観、即ち、複合フラップ２０の表面によって筋、境界、段差等のない美しい外観を得ることができる。
【００４５】
この複合フラップ２０では、吹出口１５に応じた横幅の内側フラップ２１と、内側フラップ２１より広い横幅の外側フラップ２２とが内外に重ねて配置されている。そのため複合フラップ２０の吹出口１５に対応する部位では、吹出口１５側となる内側表面から外側表面へ熱が伝わり難い。これにより吹出口１５から冷風を吹出す際には、外側表面を過度に冷却してしまうことなく、複合フラップ２０の外側表面に結露などが生じることを抑制できる。
【００４６】
また内側フラップ２１と外側フラップ２２との横方向Ｄ１の境界位置には、内側に突設されたフィン２３が設けられている。そのため吹出口１５から横方向Ｄ１に広がるように流れる空気Ａを規制でき、フィン２３よりも横方向Ｄ１の端部側では吹出口１５から吹き出される空気Ａの量を少なくして熱交換器１３での空気Ａの熱交換量自体を少なくできる。
【００４７】
さらに、吹出口１５から冷風を吹出す際には、フィン２３によって冷風の流れを規制する。よって複合フラップの吹出口１５に対応する部位よりも横方向Ｄ１の端部側で内側フラップ２１が存在しない位置に、即ち、複合フラップ２０において内側フラップが存在しせず外側フラップのみの一重構造となっている位置に吹出口１５からの冷風が接触することを回避できる。よって複合フラップ２０の外側表面に結露などが生じることを抑制できる。
【００４８】
また、外側フラップ２２の先端部２２ａには上下流方向Ｄ３に挿入空間２８を形成する先端係止片２６が設けられ、内側フラップ２１の先端部２１ａには挿入空間２８に挿入されて、先端係止片２６に上下流方向Ｄ３の両側に係止される先端挿入部２７が設けられている。そのため外側フラップ２２の先端部２２ａと内側フラップ２１の先端部２１ａとを上下流方向Ｄ３に相対移動させることで、先端係止片２６に先端挿入部２７を容易に係止できる。
【００４９】
そして先端挿入部２７が先端係止片２６に上下流方向Ｄ３の両側に係止されるので、内側フラップ２１と外側フラップ２２との温度差による熱伸縮量の差が生じても、先端挿入部２７と先端係止片２６とを係止状態で保ち易く、外側フラップ２２の先端部２２ａと内側フラップ２１の先端部２１ａとの相対位置がズレたり外れたりすることを抑制できる。
【００５０】
また、挿入空間２８に挿入された先端挿入部２７が板部２４と当接しているので、複合フラップ２０が変形したとしても、先端挿入部２７が先端係止片２６から離間する方向に変位することを抑制でき、先端挿入部２７と先端係止片２６との係止状態を保つことができる。
しかも先端挿入部２７の当接部４６よりも先端側が板部２４から離間しているので、先端挿入部２７の先端側を押圧することで、当接部４６を支点に弾性変形でき、先端係止片２６に対して先端挿入部２７を容易に係止及び脱離することが可能である。
【００５１】
また、複合フラップ２０を空調本体１１に支持するアーム３５が、空調本体１１に回動可能に連結される回動連結部３９と、外側フラップ２２の後端部２２ｂに固定される固定部３６と、を有している。アーム３５を内側フラップ２１の後端部２１ｂに固定せずに、外側フラップ２２の後端部２２ｂに固定することで外側フラップ２２と内側フラップ２１との熱伸縮量に差が生じて外側フラップ２２と内側フラップ２１との間で撓み量が異なっても、外側フラップ２２が内側フラップ２１から脱落しにくくでき、複合フラップ２０に変形や損傷が生じることを抑制できる。
【００５２】
特に、内側フラップ２１の先端挿入部２７が外側フラップ２２の先端係止片２６に上下流方向Ｄ３の両側に係止されていることで、外側フラップ２２に対して内側フラップ２１を所定位置に保持できるため、複合フラップ２０の変形を確実に抑制でき、外観品質を確保できる。
【００５３】
また、アーム３５は、大きく湾曲したアーム本体３８に、略Ｃ字状の切欠孔３９ａを有する回動連結部３９が設けられている。よって複合フラップ２０に固定されたアーム３５を空調本体１１の回動軸１２に上側から嵌合させて連結して、空調本体１１に複合フラップ２０を支持することができる。そのため複合フラップ２０を容易に空調本体１１に装着できる。
また空調本体１１の回動軸１２との連結部分に上側から複合フラップ２０の荷重が掛かるため、アーム３５の回動連結部３９を安定して回動軸１２に支持させることができ、複合フラップ２０が空調本体１１から外れ難い。
【００５４】
また、空調本体１１に設けられた昇降駆動されるリンク４４と連結される連結ボス４５が外側フラップ２２に設けられている。よって、複合フラップ２０を空調本体１１と連結するアーム３５及びリンク４４がいずれも外側フラップ２２に連結されているので、内側フラップ２１が空調本体１１に直接連結されない。よって内側フラップ２１と外側フラップ２２との間に熱伸縮量に差が生じても、空調本体１１からの内側フラップ２１の脱落を回避できる。
【００５５】
また、内側フラップ２１の上流側の後端部２１ｂに、アーム３５の固定部３６と下流側から当接可能な当接リブ３７が突設されている。そのためアーム３５を外側フラップ２２に固定した後で外側フラップ２２に内側フラップ２１を一体化して、内側フラップ２１の後端部２１ｂを外側フラップ２２の後端部２２ｂに対して所定位置に配置すると、当接リブ３７がアーム３５の固定部３６に当接する。
【００５６】
その際、アーム３５の嵌合突片４２と外側フラップ２２の突片４１との嵌合が不十分な場合、外側フラップ２２に対してアーム３５の固定部３６の位置が下流側にズレていることがある。このような場合にも、内側フラップ２１の後端部２１ｂを外側フラップ２２の後端部２２ｂに対して所定位置に配置すると、内側フラップ２１の当接リブ３７によりアーム３５の固定部３６をより強く押圧することができる。
よってアーム３５の嵌合突片４２と外側フラップ２２の突片４１との不十分な嵌合状態を完全にすることができ、アーム３５の固定部３６を外側フラップ２２に確実に固定することができる。
【００５７】
以上、本発明の実施形態について詳細を説明したが、本発明の技術的思想を逸脱しない範囲内において、多少の設計変更も可能である。
例えば上記実施形態では、接合構造１６について、内側フラップ２１と外側フラップ２２との各先端部２１ａ、２２ａに設けられた先端係止片２６及び係止凹部２９により、外側フラップ２２と内側フラップ２１とを接合したが、特に限定されるものではなく、例えばネジ等の締結具を用いた他の接合構造であっても本願発明を適用可能である。接合構造１７についても同様である。
【００５８】
またフィン２３の形状は上述の場合に限定されない。例えば矩形の板状をなしていてもよい。
また上記では、空調本体１１の各種構成は上述の場合に限定されず、適宜変更可能である。
【符号の説明】
【００５９】
Ｄ１…横方向  
Ｄ３…上下流方向  
１０…室内機  
１１…空調本体  
１２…回動軸  
１３…熱交換器  
１４…送風ファン  
１５…吹出口  
１６、１７…接合構造  
１８、１９…支持構造  
２０…複合フラップ  
２１…内側フラップ  
２１ａ…先端部  
２１ｂ…後端部  
２２…外側フラップ  
２２ａ…先端部  
２２ｂ…後端部  
２３…フィン  
２３ａ、２３ｂ…端面  
２４…板部  
２５…リブ  
２６…先端係止片  
２７…先端挿入部  
２８…挿入空間  
２９…係止凹部  
３１…後端凹部  
３２…後端リブ  
３３…後端凸部  
３４…後端切欠部  
３５…アーム  
３６…固定部  
３７…当接リブ  
３８…アーム本体  
３９…回動連結部  
３９ａ…切欠孔  
４１…突片  
４２…嵌合突片  
４２ａ…凹部  
４３…当接面  
４４…リンク  
４５…連結ボス  
４６…当接部  
１００…空気調和機  
Ａ…空気
【図１】
2018091507.tif 000003
【図２】
2018091507.tif 000004
【図３】
2018091507.tif 000005
【図４】
2018091507.tif 000006
【図５】
2018091507.tif 000007
【図６】
2018091507.tif 000008